(57)【特許請求の範囲】
【請求項１】
ヨークとボイスコイルとマグネットと振動板及びそれと一体となった振動ブロックとから成る骨導スピーカユニットと、それを収容して振動部となるハウジングとから成り、前記骨導スピーカユニットの振動ブロックを前記ハウジング内部の上面に固定すると共に、前記ヨークを、前記ハウジング内部に設置した制動材によって支持させて成り、前記制動材は、前記ハウジング内底面に設置されたゴム、プラスチック等の弾性ブロックであって、前記ヨークの裏面が前記弾性ブロックの上面に固着されて成る骨導スピーカ。
【発明の詳細な説明】
【０００１】
【発明の属する技術分野】
本発明は骨導スピーカ、より詳細には、頭部の一部に当接させて振動板の振動を骨組織に伝達させることにより、音声を聴取させるタイプのスピーカに関するものである。
【０００２】
【従来の技術】
従来の骨導スピーカは、図５、６に示すようなものが一般的である。図５に示す骨導スピーカは、ボイスコイル２１とマグネット２２を備えたヨーク２３を、ヨーク２３の上面に取り付けた振動板２５及び振動ブロック２７を介し、ハウジング２４内の天面に吊下して成る。
【０００３】
この構成の場合、組み立てが容易で比較的大きな出力が得られる等の利点がある反面、ヨーク２３が振動板２５に宙吊り状態となっているため、振動系の質量等によって定まる共振部のＱ（共振の鋭さ：振動系の等価質量に正比例する。）が大きくなり、周波数特性がフラットでなくなる。その結果、最低共振周波数の再生音が強調され、音質が悪くなり、不快な振動として感じることも起こる。また、上記構成のために、周波数を変化させたときに、振動板２５の異常共振が発生しやすくなり、共振点で異音が発生しやすくなるという問題がある。
【０００４】
また、図６に示す骨導スピーカは、ボイスコイル２１とマグネット２２を備えたヨーク２３を、上面を開口したハウジング２４の内底面に固定し、ヨーク２３の上面に取り付けた振動板２５上に、振動ブロック２７を介して振動部２６を設置して成るもので、頭部に当接して振動を伝達する振動部２６は、ハウジング２４の開口部２８から露出して振動する。
【０００５】
この場合も上記骨導スピーカと同様に、振動系が宙吊り状態になるため、上記骨導スピーカの場合程ではないにしても、やはりそれと同じような問題がある。
【０００６】
更に、この構成の場合には、振動部２６の周囲に隙間ができるために、そこから塵埃、汗、異物等が入り込む虞があり、故障の原因となりやすい。
【０００７】
【発明が解決しようとする課題】
従来の骨導スピーカには上述したような問題があったので、本発明はそのような問題のない、即ち、振動系の不必要な振動が抑制されて異常共振による異音の発生が防止され、十分に音質改善がなされる骨導スピーカを提供することを課題とする。
【０００８】
本発明はまた、過剰振動、落下時による衝撃等に十分対処し得て壊れ難い骨導スピーカを提供することを課題とする。
【０００９】
【課題を解決するための手段】
本発明は、ヨークとボイスコイルとマグネットと振動板及びそれと一体となった振動ブロックとから成る骨導スピーカユニットと、それを収容して振動部となるハウジングとから成り、前記骨導スピーカユニットの振動ブロックを前記ハウジング内部の上面に固定すると共に、前記ヨークを、前記ハウジング内部に設置した制動材によって支持させて成り、前記制動材は、前記ハウジング内底面に設置されたゴム、プラスチック等の弾性ブロックであって、前記ヨークの裏面が前記弾性ブロックの上面に固着される。
【００１０】
【発明の実施の形態】
本発明の実施の形態を添付図面に依拠して説明する。図１は、本発明に係る骨導スピーカの実施例を示す縦断面図である。本発明に係る骨導スピーカは、骨導スピーカユニット１と、それを収容するハウジング２と、ハウジング２内に設置されて骨導スピーカユニット１を支持する制動材とから成る。
【００１１】
通例、骨導スピーカユニット１は、中心磁極５を有するヨーク４と、中心磁極５を取り巻くドーナツ型のボイスコイル６と、ボイスコイル６の外側に配置されるマグネット７と、ヨーク４周縁の振動板固定部９の上面に取り付けられる振動板８と、振動板８の上面に固定される振動ブロック１０とで構成される。
【００１２】
骨導スピーカユニット１は、その振動ブロック１０がハウジング２内の天面にネジ１１等を介して固定されることにより、ハウジング２内に固定される。本発明においては、骨導スピーカユニット１は更に、ハウジング２内に設置される制動材によって支持される。
【００１３】
制動材はゴム、プラスチック等の弾性ブロック３である。この弾性ブロック３は、適度な弾性を有するゴム、プラスチック等のブロックで、ハウジング２の内底面に固定され、その上面がヨーク４の裏面中央部に固定される。この弾性ブロック３は、骨導スピーカユニット１に対する制動機能を果たし、骨導スピーカユニット１の過度の振動を抑止する。
【００１４】
言うまでもなく弾性ブロック３による制動は、骨導スピーカユニット１の過度の振動を抑えることを目的とするものであるから、逆に制動し過ぎないように注意しなければならない。図２は、弾性ブロック３の有無又は弾性ブロック３の弾性が異なるそれぞれの場合において、骨導スピーカへの入力周波数を変化させたときの出力の違いを示すものである。
【００１５】
図２の曲線Ａは、制動材の無い従来の骨導スピーカの入力周波数と出力との関係を示す。この場合、入力周波数が６５０（Ｈｚ）のときに共振が鋭くなっている。このように、周波数特性がフラットでなくなると、共振が鋭くなっている周波数の前後の音が強調され音質が悪くなる。特に、骨導スピーカの場合では、音が強調されるということは振動が大きいということであり、その場合は不快な振動として感じることがある。
【００１６】
図２の曲線Ｂは、弾性の大きい弾性ブロック３を使用した本発明に係る骨導スピーカの入力周波数と出力との関係を示す。この場合、曲線Ａほど共振は鋭くないが、弾性が大きいため共振を抑えきれずに、全体的に出力が大きくなっていることが分かる。
【００１７】
図２の曲線Ｄは、弾性の小さい弾性ブロック３を使用した本発明に係る骨導スピーカの入力周波数と出力との関係を示す。この場合、弾性が小さすぎるために、骨導スピーカ全体の振動が小さくなってしまい、出力が低下してしまっている。
【００１８】
図２の曲線Ｃは、理想的な曲線に近づくように弾性ブロック３の弾性を調節して得た本発明に係る骨導スピーカの入力周波数と出力との関係を示す。この場合、大入力が入った時の立ち上がり時の歪み感が大きく改善されていることが分かる。
【００１９】
図３の曲線は、制動材の無い従来の骨導スピーカのインピーダンス特性を示すもので、振動板の異常共振のため１ｋＨｚから２ｋＨｚの間で、周波数特性が大きく変化して、異常音が発生している。
【００２０】
図４の曲線は、本発明による弾性ブロック３を備えた骨導スピーカのインピーダンス特性を示すもので、従来の制動材の無い時に比べ、周波数特性が大きく改善され、異常音の発生が抑えられていることが分かる。
【００２１】
なお、本発明における骨導スピーカユニット１の各部の構成は任意であって、例えば、ヨーク４周縁の振動板固定部９とマグネット７をそれぞれ分割し、各一対を中心磁極５を中心とする１つの円弧上に交互に配置し、全体をコンパクトな構成としたもの（特許第２９６７７７７号公報記載のもの）等も含まれる。
【００２２】
【発明の効果】
本発明は上述した通りであって、本発明に係る骨導スピーカにおける骨導スピーカユニットは、適度な弾性力を有する制動材によって支持されていて、過剰な振動が抑えられるため、スピーカの周波数特性が良好に維持されて音質が改善され、以て明瞭に聴取することが可能となり、また、制動材が振動や落下等による衝撃に対する緩衝材の役目も果たすため、骨導スピーカが故障したり壊れたりしにくくなるという効果がある。
【図面の簡単な説明】
【図１】本発明に係る骨導スピーカの実施例を示す縦断面図である。
【図２】骨導スピーカの入力周波数と出力の大きさの関係を示す図である。
【図３】制動材の無い骨導スピーカのインピーダンス特性を示すグラフである。
【図４】制動材を備えた骨導スピーカのインピーダンス特性を示すグラフである。
【図５】従来の骨導スピーカの実施例を示す縦断面図である。
【図６】従来の骨導スピーカの別の実施例を示す縦断面図である。
【符号の説明】
１    骨導スピーカユニット
２    ハウジング
３    弾性ブロック
４    ヨーク
５    中央磁極
６    ボイスコイル
７    マグネット
８    振動板
９    振動板固定部
１０  振動ブロック
１１  ネジ
１２  板バネ設置部
【図１】
0003556168.tif 000002
【図２】
0003556168.tif 000003
【図３】
0003556168.tif 000004
【図４】
0003556168.tif 000005
【図５】
0003556168.tif 000006
【図６】
0003556168.tif 000007